(57)【特許請求の範囲】
【請求項１】
透液性トップシートと、不透液性バックシートと、それらシートの間に介在する吸液性コアと、前記トップシートの外面で環状に延びる液抵抗性の第１防漏シートとを備えた積層パネルで構成され、前記パネルが、互いに並行して縦方向へ延びる両側縁部と、互いに並行して横方向へ延びる前後端縁部とを有し、前記第１防漏シートの外周縁部が、前記トップシートに固着されて前記第１防漏シートの略中央部に第１開口部が画成され、前記第１防漏シートの内周縁部が、前記第１開口部に沿って弾性的な伸縮性を有する使い捨ておむつにおいて、
前記第１防漏シートが、前記パネルの両側縁部の寸法を縦方向に二分して横方向へ延びる横中心線近傍から前記パネルの前端縁部へ向かう前半部分と、前記横中心線近傍から前記パネルの後端縁部へ向かう後半部位とのいずれか一方に位置し、前記第１防漏シートを囲繞して環状に延びる液抵抗性の第２防漏シートが、前記パネルの前半部分と後半部分とに位置し、前記第２防漏シートの外周縁部が、前記パネルの周縁部に固着されて前記第２防漏シートの略中央部に第２開口部が画成され、前記第２防漏シートの内周縁部が、前記第２開口部に沿って弾性的な伸縮性を有することを特徴とする前記おむつ。
【請求項２】
前記第１防漏シートの外周縁部が、前記第２防漏シートの外周縁部よりも前記パネルの内側に位置し、それらシートの外周縁部の間に前記トップシートが露出している請求項１記載のおむつ。
【請求項３】
前記第１防漏シートの内周縁部が、前記第２防漏シートの内周縁部よりも前記パネルの内側に位置し、前記第１開口部の全域が、前記第２開口部から露出している請求項１または請求項２記載のおむつ。
【請求項４】
前記第１防漏シートと前記第２防漏シートとが、不織布で形成され、前記第１防漏シートの耐水圧が、前記第２防漏シートのそれ以上である請求項１ないし請求項３いずれかに記載のおむつ。
【発明の詳細な説明】
【０００１】
【発明の属する技術分野】
本発明は、排泄物を吸収、保持するための使い捨ておむつに関する。
【０００２】
【従来の技術】
特開平５−２７７１４９号公報は、透液性トップシートと、不透液性バックシートと、それらシートの間に介在する吸液性コアと、トップシートの外面に位置して環状に延びる液抵抗性の上面シートとを備え、上面シートの外周縁部が、トップシートの外面に接合されて上面シートの略中央部に縦方向へ長い開口部が画成され、上面シートの開口部の周縁部に縦方向へ伸縮する弾性部材が取り付けられた使い捨ておむつを開示している。おむつは、トップシートの外面に環状に延びる上面シートを取り付けることで、おむつの両側縁部と前後端縁部とからの排泄物の漏れを防止することができる。
【０００３】
【発明が解決しようとする課題】
特開平５−２７７１４９号公報に開示のおむつは、開口部の内側に排泄された尿と便とを分離することができないので、トップシートの外面を流動する尿と軟便、水様便とが混じり合ってしまったり、固形の便であっても尿と混じり合って軟便化してしまう場合がある。尿と便との混合物が着用者の肌に付着した場合、着用者が不快感を覚える。
【０００４】
本発明の課題は、排泄された尿と便とがおむつの両側縁部と前後端縁部とから漏れることを防ぎつつ、それら尿と便とが混じり合うことを防ぐことができる使い捨ておむつを提供することにある。
【０００５】
【課題を解決するための手段】
前述した課題を解決するために、本発明が前提とするところは、透液性トップシートと、不透液性バックシートと、それらシートの間に介在する吸液性コアと、前記トップシートの外面で環状に延びる液抵抗性の第１防漏シートとを備えた積層パネルで構成され、前記パネルが、互いに並行して縦方向へ延びる両側縁部と、互いに並行して横方向へ延びる前後端縁部とを有し、前記第１防漏シートの外周縁部が、前記トップシートに固着されて前記第１防漏シートの略中央部に第１開口部が画成され、前記第１防漏シートの内周縁部が、前記第１開口部に沿って弾性的な伸縮性を有する使い捨ておむつである。
【０００６】
かかる前提において、本発明が特徴とするところは、前記第１防漏シートが、前記パネルの両側縁部の寸法を縦方向に二分して横方向へ延びる横中心線近傍から前記パネルの前端縁部へ向かう前半部分と、前記横中心線近傍から前記パネルの後端縁部へ向かう後半部位とのいずれか一方に位置し、前記第１防漏シートを囲繞して環状に延びる液抵抗性の第２防漏シートが、前記パネルの前半部分と後半部分とに位置し、前記第２防漏シートの外周縁部が、前記パネルの周縁部に固着されて前記第２防漏シートの略中央部に第２開口部が画成され、前記第２防漏シートの内周縁部が、前記第２開口部に沿って弾性的な伸縮性を有することにある。
【０００７】
本発明の実施の態様の一例としては、前記第１防漏シートの外周縁部が、前記第２防漏シートの外周縁部よりも前記パネルの内側に位置し、それらシートの外周縁部の間に前記トップシートが露出している。
【０００８】
本発明の実施の態様の他の一例としては、前記第１防漏シートの内周縁部が、前記第２防漏シートの内周縁部よりも前記パネルの内側に位置し、前記第１開口部の全域が、前記第２開口部から露出している。
【０００９】
本発明の実施の態様の他の一例としては、前記第１防漏シートと前記第２防漏シートとが、不織布で形成され、前記第１防漏シートの耐水圧が、前記第２防漏シートのそれ以上である。
【００１０】
【発明の実施の形態】
添付の図面を参照し、本発明に係る使い捨ておむつの詳細を説明すると、以下のとおりである。
【００１１】
図１は、使い捨ておむつの部分破断斜視図である。おむつは、透液性トップシート２と、不透液性バックシート３と、トップシート２とバックシート３との間に介在する吸液性コア４と、トップシート２の外面の側で環状に延びる液抵抗性の第１防漏シート５と、トップシート２の外面の側で第１防漏シート５を囲繞して環状に延びる液抵抗性の第２防漏シート６とを備えた積層パネル１で構成されている。パネル１は、縦方向に前胴周り域２０と、後胴周り域２２と、前後胴周り域２０，２２との間に位置する股下域２１とを有する。パネル１は、互いに並行して縦方向へ延び、股下域２１においてパネル１の内方へ向かって弧を画く両側縁部１ａと、互いに並行して横方向へ延びる前後端縁部１ｂ，１ｃとを有する。
【００１２】
第１防漏シート５は、パネル１の両側縁部１ａの寸法を縦方向に二分して横方向へ延びる横中心線Ｙ近傍からパネル１の後端縁部１ｃへ向かう後半部分１ｅに位置している。第１防漏シート５は、環状に延びる外周縁部５ａと、外周縁部５ａの内側で環状に延びる内周縁部５ｂと、互いの当接下に接合された縦方向両端部５ｃとを有する。
【００１３】
第１防漏シート５の略中央部には、股下域２１の略半分と後胴周り域２２の略半分とが露出する縦方向へ長い第１開口部７が画成されている。第１開口部７では、トップシート２が露出している。第１防漏シート５の内周縁部５ｂには、弾性伸縮性部材８が伸長状態で取り付けられている。
【００１４】
第２防漏シート６は、横中心線Ｙ近傍からパネル１の前端縁部１ｂへ向かう前半部分１ｄとパネル１の後半部分１ｅとに位置している。第２防漏シート６は、環状に延びる外周縁部６ａと、外周縁部６ａの内側で環状に延びる内周縁部６ｂと、互いの当接下に接合された縦方向両端部６ｃとを有する。
【００１５】
第２防漏シート６の略中央部には、股下域２１と前後胴周り域２０，２２の略半分とが露出する縦方向へ長い第２開口部９が画成されている。第２防漏シート６の内周縁部６ｂは、第１防漏シート５の内周縁部５ｂの外側に位置し、第２開口部９が第１開口部７を囲繞している。第２開口部９では、パネル１の前半部分１ｄにトップシート２が露出し、パネル１の後半部分１ｅに第１開口部７の全域が露出している。第２防漏シート６の内周縁部６ｂには、弾性伸縮性部材１０が伸長状態で取り付けられている。第２防漏シート６の外周縁部６ａからは、外周縁部６ａの周り方向外方へ液抵抗性の支持シート１５が延びている。
【００１６】
パネル１の両側縁部１ａには、縦方向へ延びる脚周り用弾性部材１１が伸長状態で取り付けられている。パネル１の前後端縁部１ｂ，１ｃには、横方向へ延びるフィルム状の胴周り用弾性部材１２，１３がトップシート２とバックシート３との間に介在し、それらシート２，３のうちの少なくとも一方の内面に伸長状態で取り付けられている。後胴周り域２２におけるパネル１の両側縁部１ａには、横方向内方へ延びるテープファスナ１４が取り付けられ、前胴周り域２０におけるバックシート３の外面には、テープファスナ１４の止着域となる矩形のターゲットテープ（図示せず）が取り付けられている。
【００１７】
図１では、第１，２防漏シート５，６に取り付けられた弾性部材８，１０と脚周り用弾性部材１１と胴周り用弾性部材１２，１３との伸長状態が解除され、第１，２防漏シート５，６の内周縁部５ａ，６ａとパネル１の両側縁部１ａとパネル１の前後端縁部１ｂ，１ｃとに沿ってギャザーが形成されている。
【００１８】
図２，３は、図１のＡ−Ａ線矢視断面を示すおむつの斜視図と、図１のＢ−Ｂ線矢視断面図とである。第１防漏シート５は、その外周縁部５ａの一部がパネル１の内方へ折曲された状態で、トップシート２の外面に固着され、その内周縁部５ｂの一部がパネル１の内方へ折曲されて弾性部材８を被覆している。第１防漏シート５の縦方向両端部５ｃでは、縦方向両端部５ｃの固着域がパネル１の縦方向外方へ向かって延びている。
【００１９】
第２防漏シート６は、その外周縁部６ａの一部がパネル１の内方へ折曲された状態で支持シート１５の外面に固着され、その内周縁部６ｂの一部がパネル１の内方へ折曲されて弾性部材１０を被覆している。第２防漏シート６の縦方向両端部６ｃでは、縦方向両端部６ｃの固着域がパネル１の縦方向外方へ向かって延びている。
【００２０】
後半部分１ｅでは、第１防漏シート５の外周縁部５ａと第２防漏シート６の外周縁部６ａとが互いに離間し、それらシート５，６の外周縁部５ａ，６ａどうしの間でトップシート２が露出している。パネル１がその内面を内側にして縦方向と横方向とに湾曲すると、第１防漏シート５とトップシート２とがパネル１の内方へ向かって開口するポケットＰ１を形成し、第２防漏シート６とトップシート２とがパネル１の内方へ向かって開口するポケットＰ２を形成する。
【００２１】
トップシート２は、コア４の両側縁部４ａから横方向外方へわずかに延出し、コア４の両端縁部４ｂから縦方向外方へわずかに延出している。バックシート３と支持シート１５とは、トップシート２の周縁からさらに横方向外方と縦方向外方とへ延出している。支持シート１５の内面は、トップシート２の外面とバックシート３の内面とに固着されている。バックシート３と支持シート１５との間には、脚周り用弾性部材１１が介在し、それらシート３，１５のうちの少なくとも一方の内面に伸長状態で取り付けられている。コア４は、トップシート２とバックシート３との少なくとも一方の内面に接合されている。
【００２２】
パネル１は、テープファスナ１４の自由端部の内面に塗布された粘着剤を介して、テープファスナ１４をターゲットテープに止着すると、左右一対の脚周り開口と、胴周り開口とが形成される（図示せず）。
【００２３】
パネル１は、パネル１の前半部分１ｄで開口する第２開口部９内に排泄された尿がトップシート２を通してコア４に吸収され、パネル１の後半部分１ｅで開口する第１開口部７内に排泄された便がトップシート２を通してコア４に吸収される。第１防漏シート５は、パネル１の前後半部分１ｄ，１ｅにおいて尿吸収域と便吸収域とを分離する機能を有するので、第１防漏シート５が障壁となって、第１開口部７内に排泄された便がパネル１の前半部分１ｄに侵入することや尿が第１開口部７内に侵入することを防止することができ、尿と便とが互いに混じり合ってしまうことを防ぐことができる。
【００２４】
パネル１では、排泄された便をポケットＰ１に収容することができるので、大量の便が排泄されたとしても、便がパネル１の前半部分１ｄへ侵入することを防止することができる。パネル１の前半部分１ｄに排泄された尿がパネル１の後端縁部１ｃへ向かって流動した場合でも、パネル１の後半部分１ｅに位置する第１防漏シート５の外周縁部５ｂと第２防漏シート６の外周縁部６ｂとの間を流れることができるので、パネル１の後半部分１ｅにおいても尿を吸収することができる。
【００２５】
トップシート２には、不織布や開孔プラスチックフィルム等の透液性のシート、好ましくは透液性であって親水性のシートが使用される。バックシート３には、不透液性のプラスチックフィルムまたはプラスチックフィルムと疎水性不織布とのラミネートシート、好ましくは通気不透液性のシートが使用される。第１，２防漏シート５，６と支持シート１５とには、通気性不織布、好ましくは通気不透液性の不織布が使用される。第１防漏シート５の耐水圧は、第２防漏シート６のそれ以上であり、第１防漏シート５の耐水圧が、１５０〜５００ｍｍの範囲、第２防漏シート６の耐水圧が、５０〜３００ｍｍの範囲にあることが好ましい。便には、タンパク質や脂質等の有機物が多く含まれているので、尿と比較してそれら防漏シート５，６に対する表面張力が小さい。また、不織布を形成する繊維がポリオレフィン系樹脂である場合、便中の有機物とポリオレフィン系樹脂とが親和性を有するので、尿と比較して便が不織布に滲入し易い。ゆえに、便が第１防漏シート５に滲入し難くするため、第２防漏シート６よりも第１防漏シート５の耐水圧を高くしている。
【００２６】
不織布としては、スパンレース、ニードルパンチ、メルトブローン、サーマルボンド、スパンポンド、ケミカルボンド等の不織布を使用することができる。不織布の構成繊維としては、ポリオレフィン系、ポリエステル系、ポリアミド系、の各繊維、ポリエチレン／ポリプロピレンまたはポリエステルの複合繊維等を使用することができる。
【００２７】
コア４は、フラッフパルプと高吸収性ポリマー粒子との混合物であり、所要の厚みに圧縮され、全体がティシュペーパ等の透水性シートによって被覆されている。弾性部材８，１０，１１，１２，１３としては、合成ゴムや天然ゴム等のエラストマー、または、それらエラストマーを伸長状態で不織布に固着したものを使用することができる。コア４の接合、弾性部材８，１０，１１，１２，１３の取り付け、シート２，３，５，６，１５どうしの固着には、ホットメルト接着剤等の接着剤や粘着剤の他に、熱溶着の技術を利用することができる。
【００２８】
パネル１には、第１防漏シート５がパネル１の前半部分１ｄに配置され、パネル１の前半部分１ｄに第１開口部７が画成されていてもよい。この場合は、パネル１の前半部分１ｄで開口する第１開口部７内に排泄された尿がトップシート２を通してコア４に吸収され、パネル１の後半部分１ｅで開口する第２開口部９内に排泄された便がトップシート２を通してコア４に吸収される。前半部分１ｄでは、第１防漏シート５が障壁となって、便が第１開口部７内に侵入することや尿がパネル１の後半部分１ｅに侵入することを防止することができ、尿と便とが互いに混じり合ってしまうことを防ぐことができる。
【００２９】
この発明は、図に示す開放型のおむつの他に、パンツ型のおむつでも実施することができる。
【００３０】
【発明の効果】
本発明に係る使い捨ておむつによれば、排泄された尿と便とのうちのいずれか一方が流動しようとしても、第１防漏シートが障壁となるので、それら尿と便とが混じり合ってしまうことを防ぐことができる。第１防漏シートと第２防漏シートとがトップシートの外面で環状に延びているので、排泄された尿と便とがおむつの両側縁部と前後端縁部とから漏れてしまうことを防ぐことができる。
【図面の簡単な説明】
【図１】使い捨ておむつの部分破断斜視図。
【図２】図１のＡ−Ａ線矢視断面を示すおむつの斜視図。
【図３】図１のＢ−Ｂ線矢視断面図。
【符号の説明】
１          積層パネル
１ａ        両側縁部
１ｂ        前端縁部
１ｃ        後端縁部
１ｄ        前半部分
１ｅ        後半部分
２          透液性トップシート
３          不透液性バックシート
４          吸液性コア
５          第１防漏シート
５ａ        外周縁部
５ｂ        内周縁部
６          第２防漏シート
６ａ        外周縁部
６ｂ        内周縁部
７          第１開口部
９          第２開口部
Ｙ          横中心線
【図１】
0003557133.tif 000002
【図２】
0003557133.tif 000003
【図３】
0003557133.tif 000004